(57)【特許請求の範囲】
【請求項１】
一次側電源ラインと直列に接続させたボルト状導体を挿通するための貫通口を有してなる変流器と、該変流器を収納するために施蓋自在に二分割された雄蓋部と雌蓋部とからなる絶縁ケースとで電流センサを形成し、
雌蓋部には、前記変流器を収納して施蓋した際に前記貫通口に導入されて前記ボルト状導体のための挿通孔を形成する雄筒部を、雄蓋部には、該雄筒部と嵌合する雌筒部をそれぞれ設けて形成し、
絶縁ケース内に変流器を収納してなる電流センサは、電流測定用機器を構成しているシャーシ部にその一端部を固定させ、挿通孔に介在させたスリーブ内を挿通させて他端部を突出させたボルト状導体に螺着されるナットの緊締力をスリーブとの間で生成させて取り付けたことを特徴とする電流用測定機器における電流センサの取付構造。
【請求項２】
前記絶縁ケースは、部分切欠部を端縁部に有する隆起部を周側面に設けた雄蓋部と、前記隆起部と係合する切欠部を周側面に設けた雌蓋部とで、施蓋時における周方向での相対的な回転を阻止して形成したことを特徴とする請求項１記載の電流用測定機器における電流センサの取付構造。
【請求項３】
前記雄蓋部は、雌筒部の開口面を間に挟んで設けられた位置決め部を天板面に備えることを特徴とする請求項１又は２記載の電流用測定機器における電流センサの取付構造。
【発明の詳細な説明】
【０００１】
【発明の属する技術分野】
本発明は、電流測定用機器を構成しているシャーシ部に対し電流センサを確実に取り付けることができるようにした電流用測定機器における電流センサの取付構造に関する。
【０００２】
【従来の技術】
例えば電力計に組み込んで使用される電流測定器などのような電流用測定機器においては、絶縁性確保や耐圧設計などの必要から、一次側電源ラインと直列に接続された被測定線路である例えばボルト状導体を導入するするための貫通口を有する変流器を、同じくボルト状導体を案内するための挿通孔を有してなる絶縁ケース内に収納して電流センサを形成し、シャーシ部に一端部を固定させた前記ボルト状導体を絶縁ケースの前記挿通孔を介して挿通させて突出させた他端部に対しナットを緊締螺着して取り付けるようにしている例が多く見受けられる。
【０００３】
【発明が解決しようとする課題】
しかし、上記取付構造のもとにあっては、一次側電源ラインに大きな電流が流れたような場合、該一次側電源ラインに直結されたボルト状導体が発熱するほか、二次側回路に送出するための電流を検出する変流器も発熱し、これらの熱により絶縁ケースが膨張したり収縮する好ましくない現象が起きることがある。
【０００４】
この場合、絶縁ケースが膨張するときは、緊締螺着された状態にあるナットとの関係で絶縁ケースの側に好ましくない歪みや破損が生じてしまう不都合があり、また、絶縁ケースが収縮するときは、絶縁ケースに対するナットの締付け状態に緩みが生じて一次側の接続関係が不安定となって接触抵抗が増し、さらに発熱を促進させてしまうという不具合があった。
【０００５】
本発明は従来技術の上記課題に鑑みてなされたものであり、その目的は、一次側電源ラインに直結されて被測定線路を構成しているボルト状導体と変流器とが発熱し仮に絶縁ケースに膨張や収縮が生ずることがあっても、シヤーシ部に対し常に安定した状態のもとで電流センサを取り付けておくことができる電流用測定機器における電流センサの取付構造を提供することにある。
【０００６】
【課題を解決するための手段】
本発明は上記目的を達成すべくなされたものであり、その構成上の特徴は、一次側電源ラインと直列に接続させたボルト状導体を挿通するための貫通口を有してなる変流器と、該変流器を収納するために施蓋自在に二分割された雄蓋部と雌蓋部とからなる絶縁ケースとで電流センサを形成し、
雌蓋部には、前記変流器を収納して施蓋した際に前記貫通口に導入されて前記ボルト状導体のための挿通孔を形成する雄筒部を、雄蓋部には、該雄筒部と嵌合する雌筒部をそれぞれ設けて形成し、
絶縁ケース内に変流器を収納してなる電流センサは、電流測定用機器を構成しているシャーシ部にその一端部を固定させ、挿通孔に介在させたスリーブ内を挿通させて他端部を突出させたボルト状導体に螺着されるナットの緊締力をスリーブとの間で生成させて取り付けたことにある。
【０００７】
この場合、前記絶縁ケースは、部分切欠部を端縁部に有する隆起部を周側面に設けた雄蓋部と、前記隆起部と係合する切欠部を周側面に設けた雌蓋部とで、施蓋時における周方向での相対的な回転を阻止して形成するのが望ましい。また、前記雄蓋部は、雌筒部の開口面を間に挟んで設けられた位置決め部を天板面に具備させて形成するのが好ましい。
【０００８】
【発明の実施の形態】
以下、本発明の実施の形態を図面に基づいて説明する。図１は、本発明に係る電流センサの取付構造を例示する分解斜視図であり、図２は図１に示されている絶縁ケースを反対方向からみた場合の分解斜視図である。
【０００９】
これらの図によれば、電流センサ１１は、一次側電源ラインと直列に接続させた状態のもとで電流測定用機器を構成しているシャーシ部１にその一端部２ａを固定させた被測定線路としてのボルト状導体２を挿通するための貫通口１３を設けてなる変流器１２と、該変流器１２を収納するために施蓋自在に二分割された絶縁ケース１５とで構成されている。
【００１０】
この場合、変流器１２は、円環状を呈する磁性コアに巻線を施し、かつその外表面に絶縁テープを巻き付けるなどして形成される絶縁層を設けてその全体が形成されている。なお、図中の符号１４は、図示しない二次側回路に接続される出力引出線を示す。
【００１１】
また、絶縁ケース１５は、絶縁性の合成樹脂材からなる雌蓋部１６と雄蓋部２１とに二分割され、かつ、それぞれの開口面１６ａ，２１ａを対面させた状態のもとで相互に施蓋自在となって形成されている。
【００１２】
このうち、雌蓋部１６は、変流器１２を収納して施蓋した際に貫通口１３に導入されてボルト状導体２のための挿通孔１８を形成する雄筒部１７のほか、後述する雄蓋部２１の隆起部２３と係合する切欠部１９を周側面１６ｂに設けて形成されている。
【００１３】
また、雄蓋部２１は、施蓋時に導入される上記雄筒部１７と嵌合する雌筒部２２のほか、部分切欠部２４を端縁部に有する隆起部２３が施蓋時に雌蓋部１６の切欠部１９と嵌り合って相互に周方向での相対的な回転を阻止する係合関係が生じる配置関係のもとで周側面２１ｂに設けられている。さらに、雄蓋部２１の天板面２１ｃには、雌筒部２２の開口面２２ａを間に挟み、かつ、隆起部２３の配設位置と平行となるように配列された一対のリブ部２５，２５により形成される位置決め部２６が設けられている。
【００１４】
一方、雌蓋部１６と雄蓋部２１とをそれぞれの開口面１６ａ，２１ａを対面させて施蓋することにより絶縁ケース１５を形成した際、該絶縁ケース１５に確保される挿通孔１８内には、必要な耐圧性と耐熱性とを備えた金属等の部材からなるスリーブ２７が配設されている。
【００１５】
該スリーブ２７は、被測定線路としてのボルト状導体２の挿通を許す内径を備え、しかも、絶縁ケース１５に確保される挿通孔１８の長さよりもその全長が実質的に長くなるようにして形成されている。なお、図中の符号３は、一次側電源ラインと直列に接続するためにボルト状導体２との間に配設される導電性の介装連結金具を、４はボルト状導体２の他端部２ｂに緊締螺着される座付きナットなどのナットをそれぞれ示す。
【００１６】
さらに、必要により、絶縁ケース１５は、雌蓋部１６を切欠部１９を設けることなく形成し、雄蓋部２１を隆起部２３を設けることなく形成し、これを組み立てて使用することもできる。また、雄蓋部２１の天板面２１ｃには、一対のリブ部２５，２５に代え、介装連結金具３を導入して保持し得る溝状の凹陥部（図示せず）により位置決め部２６を設けることもできる。
【００１７】
本発明はこのようにして構成されているので、二分割された雌蓋部１６と雄蓋部２１とは、開口面１６ａ，２１ａ相互を対面させて配置した上で、雄筒部１７と雌筒部２２とを相互に嵌め合わせて変流器１２の貫通口１４に導入させながら施蓋することにより、絶縁ケース１５内に変流器１２を収納した電流センサ１１を組み立てることができる。
【００１８】
このようにして組み立てられた電流センサ１１は、雄筒部１７により確保される挿通孔１８にスリーブ２７を予め導入した上で、該スリーブ２７内にシヤーシ部１に一端部１ａを固定させたボルト状導体２が位置するように挿入して配置される。
【００１９】
しかる後、例えば図３に示すようにシヤーシ部１に固定されて一次側電源ラインと直結されているボルト状導体６に対し、その一端部３ａが座付きナットなどのナット７を介して緊締螺着された介装連結金具３は、その他端部３ｂをボルト状導体２の他端部２ｂにナット４を介して緊締螺着することができるので、ボルト状導体６と直結する操作ツマミ８とボルト状導体２と直結する操作ツマミ９との間に一次側電源ラインに直列に接続された被測定線路を形成してシヤーシ部１に電流センサ１１を取り付けることができる。
【００２０】
しかも、このとき、電流センサ１１は、挿通孔１８の長さよりもその全長が実質的に長くなるようにして形成されているスリーブ２７に対しボルト状導体２にナット４を螺着することにより、該ナット４の緊締力をスリーブ２７との間で生成させた状態のもとで、つまり電流センサ１１自体にはナット４の緊締力を作用させることなくシャーシ部１に取り付けられることになる。
【００２１】
したがって、一次側電源ラインの側に仮に大きな電流が流れ、一次側電源ラインの被測定線路を構成しているボルト状導体２と、変流器１２とが発熱し、これらの熱により絶縁ケース１５が膨張することがあっても、ナット４の緊締力が絶縁ケース１５に直接影響を与えることはないので、絶縁ケース１５の側に好ましくない歪みや破損が生じてしまうことを一掃することができる。
【００２２】
また、絶縁ケース１５が熱により収縮することがあっても、ナット４の緊締力は常にスリーブ２７に対して作用しているので、ナット４の締付け力に緩みが生ずることもなく、したがって、一次側電源ラインに直結する被測定線路の側の接続関係を安定化することにより、接触抵抗を増やして発熱を促進させるような現象を確実に阻止することができる。
【００２３】
さらに、雌蓋部１６と雄蓋部２１とが相互に係合する切欠部１９と隆起部２３とを備えている場合には、施蓋時に相互間での周方向での相対的な回転を阻止することができるので、出力引出線１４を引き出す際の位置決めもそれだけ容易に行うことができる。しかも、このとき、雄蓋部２１の隆起部２３は、その端縁部に部分切欠部２４を有しているので、施蓋時に雌蓋部１６の切欠部１９との間に空隙を確保することができ、該空隙を介して出力引出線１４を円滑に引き出すことができる。
【００２４】
さらにまた、雄蓋部２１が隆起部２３の配設位置と平行となるように配列された一対のリブ部２５，２５により区画される位置決め部２６を天板面２１ｃに備えている場合には、該位置決め部２６内に介装連結金具３の他端部３ｂを位置決めして定置させることができるので、絶縁ケース１５がボルト状導体２に遊動性を伴って支持されていても、その周方向への回転を阻止することができる。
【００２５】
特に、絶縁ケース１５が相互に係合する切欠部１９と隆起部２３とで、雌蓋部１６と雄蓋部２１とが周方向で相対的に回転するのが阻止され、同時に、雄蓋部２１に設けられている位置決め部２６により周方向への回転が阻止されている場合には、シヤーシ部１に対し、電流センサ１１をより正確に位置決めして取り付けることができることになる。
【００２６】
【発明の効果】
以上述べたように本発明によれば、雌蓋部と雄蓋部とは、雄筒部と雌筒部とを相互に嵌め合わせながら施蓋することにより、絶縁ケース内に変流器を収納し電流センサを組み立てることができる。
【００２７】
しかも、電流センサは、スリーブを介することによりナットの緊締力を受けることなくシャーシ部に取り付けることができるので、仮に被測定線路を構成するボルト状導体や変流器の熱により絶縁ケースが膨張しても、好ましくない歪みや破損が生ずるのを一掃することができるほか、絶縁ケースが熱により収縮することがあっても、ナットの緊締力が常にスリーブに対して作用する結果、ナットの締付け力に緩みを生じさせることもなくすることができるので、一次側電源ラインに直結する被測定線路の側の接続関係を安定化することにより、接触抵抗の増大に伴う発熱の促進を確実に阻止することができる。
【００２８】
さらに、雌蓋部と雄蓋部とが相互に係合する切欠部と隆起部とを備えている場合には、施蓋時に相互間での周方向での相対的な回転を阻止することができるので、出力引出線を引き出す際の位置決めもそれだけ容易に行うことができるほか、部分切欠部により確保される空隙を介して出力引出線を円滑に引き出すこともできる。
【００２９】
さらにまた、雄蓋部が位置決め部を天板面に備えている場合には、該位置決め部内に介装連結金具を位置決めして定置させることができるので、絶縁ケースがボルト状導体に遊動性を伴って支持されていても、その周方向への回転を阻止することができる。
【００３０】
特に、絶縁ケースが相互に係合する切欠部と隆起部とで、雌蓋部と雄蓋部とが周方向で相対的に回転するのが阻止され、同時に、雄蓋部に設けられている位置決め部により周方向への回転が阻止されている場合には、シヤーシ部に対し、電流センサをより正確に位置決めして取り付けることができる。
【図面の簡単な説明】
【図１】本発明に係る電流センサの取付構造の一例を分解して示す斜視図。
【図２】図１に示されている絶縁ケースを反対方向からみた場合を分解して示す斜視図。
【図３】電流用測定機器における本発明に係る電流センサの取付構造と一次側電源ラインとの関係を例示する平面図。
【符号の説明】
１  シャーシ部
２  ボルト状導体
２ａ  一端部
２ｂ  他端部
３  介装連結金具
３ａ  一端部
３ｂ  他端部
４  ナット
６  ボルト状導体
７  ナット
８，９  操作ツマミ
１１  電流センサ
１２  変流器
１３  貫通口
１４  出力引出線
１５  絶縁ケース
１６  雌蓋部
１６ａ  開口面
１６ｂ  周側面
１７  雄筒部
１８  挿通孔
１９  切欠部
２１  雄蓋部
２１ａ  開口面
２１ｂ  周側面
２１ｃ  天板面
２２  雌筒部
２２ａ  開口面
２３  隆起部
２４  部分切欠部
２５  リブ部
２６  位置決め部
２７  スリーブ
【図１】
0003581769.tif 000002
【図２】
0003581769.tif 000003
【図３】
0003581769.tif 000004